(57)【要約】【課題】本発明は、ホットスポットを識別することができる移動通信端末、クラウドサーバ及び識別方法を提供する。【解決手段】本発明に係るホットスポットの識別方法は、電子地図を提供するステップと、移動通信端末の位置情報と、移動通信端末からの端末データが何時受信されたかを示す時間情報と、移動通信端末のＩＤ情報と、を少なくとも含む端末データを受信して格納するステップと、所定期間内に同じ場所から受信した端末データの数に基づいて、前記電子地図においてホットスポットの位置を決めるステップと、を有する。【選択図】図６
2014041611.tif 000002
【特許請求の範囲】
【請求項１】
クラウドサーバに接続される移動通信端末であって、
クラウドサーバと通信する無線通信ユニットと、
画像を撮影するための撮影ユニットと、
前記撮影ユニットが撮影したかどうか、及び前記無線通信ユニットが前記クラウドサーバに接続されたかどうかを検出する検出ユニットと、
衛星から移動通信端末の時間情報及び現在の位置情報を獲得するＧＰＳユニットと、
情報生成ユニットと、
を備え、
前記検出ユニットが、前記無線通信ユニットがクラウドサーバに接続されたこと及び前記撮影ユニットが画像を撮影したことを検出すると、前記情報生成ユニットは、前記位置情報、前記時間情報及び前記移動通信端末の識別子に基づいて端末データを生成し、且つ前記無線通信ユニットを介して前記端末データを前記クラウドサーバに送信し、
前記クラウドサーバは、移動通信端末からの時間情報及び位置情報によって、所定期間内に同じ場所から受信した端末データの数に基づいて決まる電子地図におけるホットスポットの位置を識別して判定することを特徴する移動通信端末。
【請求項２】
複数の移動通信端末からの端末データを受信するためのクラウドサーバであって、
無線通信ユニットと、メモリーと、識別モジュールと、を備え、
前記端末データは、対応する移動通信端末の位置情報と、前記クラウドサーバがいつ移動通信端末から端末データを受信したかを示す時間情報と、移動通信端末の識別子と、を含み、
前記無線通信ユニットは、前記端末データを受信し、
前記メモリーは、電子地図を格納し、
前記識別モジュールは、所定期間内に同じ場所から受信した端末データの数に基づいて、前記電子地図においてホットスポットの位置を識別して判定することを特徴とするクラウドサーバ。
【請求項３】
前記識別モジュールは、対応する移動通信端末の専用の識別子（ＩＤ）に基づいて、前記端末データの数を数えることを特徴とする請求項２に記載のクラウドサーバ。
【請求項４】
前記識別モジュールは、同じ場所から端末データを送信する移動通信端末の識別子の総数が、所定期間内に所定の数に等しいかどうかを判断し、
移動通信端末の識別子の総数が前記所定期間内に所定の数に等しい場合、対応する場所はホットスポットであると判定することを特徴とする請求項２に記載のクラウドサーバ。
【請求項５】
前記識別モジュールは、同じ場所からの端末データを送信する移動通信端末の識別子の総数が所定の数に等しいかどうかを判断し、且つ同じ場所からの端末データの時間情報が前記所定期間内にあるかどうかを判断し、
同じ場所からの端末データの時間情報が前記所定期間内にある場合、対応する場所はホットスポットであると判定することを特徴とする請求項２に記載のクラウドサーバ。
【請求項６】
前記所定期間は、移動通信端末からのホットスポットを検索するための照会命令に基づいて設定され、且つ前記照会命令を受信する前の時間帯であることを特徴とする請求項２に記載のクラウドサーバ。
【請求項７】
前記所定期間は、ユーザが対応する移動通信端末に入力した時間帯によって設定され、前記時間帯は前記照会命令に含まれることを特徴とする請求項６に記載のクラウドサーバ。
【請求項８】
電子地図において、ホットスポットであることが確認された位置を注釈する注釈ユニットをさらに備えることを特徴とする請求項２に記載のクラウドサーバ。
【請求項９】
ホットスポットの識別方法であって、
電子地図を提供するステップと、
移動通信端末の位置情報と、移動通信端末からの端末データがいつ受信されたかを示す時間情報と、移動通信端末のＩＤ情報と、を少なくとも含む端末データを受信して格納するステップと、
所定期間内に同じ場所から受信した端末データの数に基づいて、前記電子地図においてホットスポットの位置を決めるステップと、
を有することを特徴とするホットスポットの識別方法。
【請求項１０】
電子地図において、ホットスポットであることが確認された位置を注釈するステップをさらに有することを特徴とする請求項９に記載のホットスポットの識別方法。
【請求項１１】
前記電子地図においてホットスポットの位置を決めるステップは、
前記所定期間内にある時間情報を含む端末データを選択するステップと、
選択された同じ場所からの端末データの識別子の数をカウントするステップと、
前記識別子の数が所定の数に等しいかどうかを判断するステップと、
前記識別子の数が前記所定の数に等しい場合、対応する場所をホットスポットと判定するステップと、
をさらに有することを特徴とする請求項９に記載のホットスポットの識別方法。
【請求項１２】
前記電子地図においてホットスポットの位置を決めるステップは、
同じ場所からの端末データを選択するステップと、
選択された端末データの情報が前記所定期間内にあるかどうかを判断するステップと、
情報が前記所定期間内にある移動通信端末の識別子の数をカウントするステップと、
前記識別子の数が所定の数に等しいかどうかを判断するステップと、
前記識別子の数が前記所定の数に等しい場合、対応する場所をホットスポットと判定するステップと、
をさらに有することを特徴とする請求項９に記載のホットスポットの識別方法。
【発明の詳細な説明】
【技術分野】
【０００１】
本発明はネットワーク通信技術に関し、特に移動通信端末、クラウドサーバ（ｃｌｏｕｄ  ｓｅｒｖｅｒ）及びホットスポットの識別方法に関するものである。
【背景技術】
【０００２】
人々は、有名な景勝地における絶景ポイント等に行くと、多くの写真を撮って記念にする。つまり、これらの場所はホットスポットである。しかし、現地に行かなければその場所がホットスポットであることを知ることはできない。
【発明の概要】
【発明が解決しようとする課題】
【０００３】
そこで、本発明は以上の問題点に鑑みてなされたものであり、ホットスポットを識別することができる移動通信端末、クラウドサーバ及び識別方法を提供することを目的とする。
【課題を解決するための手段】
【０００４】
上記の課題を解決するために、本発明に係る移動通信端末は、クラウドサーバに接続され、且つクラウドサーバと通信する無線通信ユニットと、画像を撮影するための撮影ユニットと、前記撮影ユニットが撮影したかどうか、及び前記無線通信ユニットが前記クラウドサーバに接続されたかどうかを検出する検出ユニットと、衛星から移動通信端末の時間情報及び現在の位置情報を獲得するＧＰＳユニットと、情報生成ユニットと、を備える。前記検出ユニットが、前記無線通信ユニットがクラウドサーバに接続されたこと及び前記撮影ユニットが画像を撮影したことを検出すると、前記情報生成ユニットは、前記位置情報、前記時間情報及び前記移動通信端末の識別子に基づいて端末データを生成し、且つ前記無線通信ユニットを介して前記端末データを前記クラウドサーバに送信し、前記クラウドサーバは、移動通信端末からの時間情報及び位置情報によって、所定期間内に同じ場所から受信した端末データの数に基づいて決まる電子地図におけるホットスポットの位置を識別して判定する。
【０００５】
また、上記の課題を解決するために、本発明のクラウドサーバは、複数の移動通信端末からの端末データを受信する。前記端末データは、対応する移動通信端末の位置情報と、前記クラウドサーバがいつ移動通信端末から端末データを受信したかを示す時間情報と、移動通信端末の識別子と、を含み、前記クラウドサーバは、無線通信ユニット、メモリー及び識別モジュールを含み、前記無線通信ユニットは、前記端末データを受信し、前記メモリーは、電子地図を格納し、前記識別モジュールは、所定期間内に同じ場所から受信した端末データの数に基づいて、前記電子地図においてホットスポットの位置を識別して判定する。
【０００６】
また、上記の課題を解決するために、本発明のホットスポットの識別方法は、電子地図を提供するステップと、移動通信端末の位置情報と、移動通信端末からの端末データがいつ受信されたかを示す時間情報と、移動通信端末のＩＤ情報と、を少なくとも含む端末データを受信して格納するステップと、所定期間内に同じ場所から受信した端末データの数に基づいて、前記電子地図においてホットスポットの位置を決めるステップと、を有する。
【発明の効果】
【０００７】
本発明において、移動通信端末がクラウドサーバに端末データを伝送すると、クラウドサーバは、この端末データに基づいて統計を行なって、電子地図においてホットスポットを識別する。これにより、ユーザは、移動通信端末を介してクラウドサーバにアクセスしさえすれば、多くのホットスポットを知ることができる。即ち、これらのホットスポットに行ったことがない人々でも前記ホットスポットの情報を知ることができる。
【図面の簡単な説明】
【０００８】
【図１】本発明のクラウドサーバが複数の移動通信端末と通信する様子を説明するための図である。
【図２】本発明の移動通信端末の機能モジュールを示す図である。
【図３】本発明のクラウドサーバの機能モジュールを示す図である。
【図４】クラウドサーバの設定モジュールのインタフェイスを示す図である。
【図５】クラウドサーバの識別モジュールのサブ機能モジュールを示す図である。
【図６】本発明のホットスポットの識別方法のフローチャートである。
【図７】各移動通信端末が端末データを生成する時の各ステップを示す図である。
【図８】電子地図においてホットスポットの位置を識別する場合のサブプロセスを示す図である。
【図９】電子地図においてホットスポットの位置を識別する場合のサブプロセスを示す図である。
【発明を実施するための形態】
【０００９】
図１に示すように、通信システム１００は、複数の移動通信端末１０と、ネットワークを介して移動通信端末１０と接続されるクラウドサーバ２０と、を備える。移動通信端末１０は、携帯電話機及びタブレットパソコン等であることができる。前記ネットワークは、３Ｇネットワーク、ＧＰＲＳネットワーク又は他のネットワークである。各移動通信端末１０は、１つの身分識別コード（ＩＤ、以下、識別子と称する）を備える。この身分識別コードは、型番、ＳＩＭカードの番号等であることができる。
【００１０】
図２に示すように、移動通信端末１０は、第一無線通信ユニット１１と、検出ユニット１２と、撮影ユニット１３と、ＧＰＳユニット１４と、情報生成ユニット１５と、入力ユニット１６と、表示ユニット１７と、を備える。
【００１１】
第一無線通信ユニット１１は、クラウドサーバ２０に接続されて、クラウドサーバ２０と通信する。撮影ユニット１３は、静止画像又は動画像を撮影するために用いられる。検出ユニット１２は、第一無線通信ユニット１１がクラウドサーバ２０に接続されたかどうかを検出する。第一無線通信ユニット１１がクラウドサーバ２０に接続されると、検出ユニット１２は、撮影ユニット１３が画像を撮影したかどうかを検出する。また、検出ユニット１２は、撮影ユニット１３が画像を撮影したことを検出すると、獲得信号を生成する。ＧＰＳユニット１４は、検出ユニット１２が生成した前記獲得信号に応じて、衛星から移動通信端末１０の現在位置情報及び時間情報を獲得する。前記時間情報は、協定世界時（ｃｏｏｒｄｉｎａｔｅｄ  ｕｎｉｖｅｒｓａｌ  ｔｉｍｅ：ＵＴＣ）であり、クラウドサーバ２０がいつ移動通信端末１０から端末データを受信したかを示す。
【００１２】
情報生成ユニット１５は、移動通信端末１０の位置情報、時間情報及び移動通信端末１０の身分識別コードの情報を含む端末データを生成し、且つ第一無線通信ユニット１１を介して前記端末データをクラウドサーバ２０に送信する。クラウドサーバ２０は、前記端末データに基づいてホットスポットを識別して判定する。
【００１３】
入力ユニット１６は、ユーザの操作に応じて照会指令（ｉｎｑｕｉｒｙ  ｉｎｓｔｒｕｃｔｉｏｎ）を生成し、且つ第一無線通信ユニット１１を介してこの照会指令をクラウドサーバ２０に送信する。本実施形態において、前記照会指令は１つの時間帯（ａ  ｔｉｍｅ  ｐｅｒｉｏｄ）を含む。ユーザの動作は、第一無線通信ユニット１１を介してクラウドサーバ２０に伝達される。クラウドサーバ２０は、移動通信端末１０からの照会指令に応答して、ホットスポットの情報を獲得する。表示ユニット１７は、クラウドサーバ２０によりフィードバックされたホットスポットの情報を表示する。
【００１４】
具体的には、図３に示すように、クラウドサーバ２０は、前記端末データを受信し、且つ前記端末データに基づいてホットスポットを識別する。また、クラウドサーバ２０は、第二無線通信ユニット２１と、メモリー２２と、設定ユニット２３と、識別モジュール（ｉｄｅｎｔｉｆｙ  ｍｏｄｕｌｅ）２４と、注釈ユニット２５と、獲得ユニット２６と、更新ユニット２７と、を備える。
【００１５】
第二無線通信ユニット２１は、移動通信端末１０からの端末データ及びユーザによる照会指令を受信する。メモリー２２は、電子地図及び第二無線通信ユニット２１が受信した端末データを格納するために用いられる。
【００１６】
設定ユニット２３は、移動通信端末１０からの照会指令に応答して、所定期間（ｐｒｅｄｅｔｅｒｍｉｎｅｄ  ｐｅｒｉｏｄ）及び所定の数を設定する。例えば、前記照会指令が前記時間帯を含む場合、設定ユニット２３は、前記照会指令の時間帯に応じて前記所定期間を設定する。一方で、前記照会指令が前記時間帯を含まない場合、前記所定期間は前記照会指令を受信する前の時間帯に設定される。
【００１７】
具体的には、図４に示すように、設定ユニット２３は、メインインタフェイス２３０及びサブインタフェイス２３１を提供する。メインインタフェイス２３０は、第一統計時間及び第二統計時間をそれぞれ表す２つのアイコン２３０１，２３０２を含む。ユーザは、アイコン２３０１及びアイコン２３０２をそれぞれクリックしてアクティブにさせることで、統計の時間を選択する。メインインタフェイス２３０がアクティブにされた後、サブインタフェイス２３１は１つのダイアログ２３１０を提供する。ユーザは、このダイアログ２３１０を介して第一統計時間又は第二統計時間を入力することができる。
【００１８】
図５に示すように、識別モジュール２４は、同じ場所を表す位置情報に対応する移動通信端末の識別子の数を統計することによって、電子地図においてホットスポットの位置を判定する。言い換えれば、識別モジュール２４は、前記所定期間内に同じ場所から受信した端末データの数に基づいて、電子地図におけるホットスポットの位置を判定する。
【００１９】
一つの例として、識別モジュール２４は、時間情報が前記所定期間内にある端末データを選択する。また、識別モジュール２４は、同じ場所から端末データを送信する移動通信端末１０の識別子の数をそれぞれカウントし、且つ前記識別子の総数が前記所定の数に等しいかどうかを判断して、移動通信端末１０の識別子の総数が前記所定の数に等しい場合、対応する場所がホットスポットであると判定する。
【００２０】
もう一つの例として、識別モジュール２４は、同じ場所からの端末データを選択し、選択された端末データの情報が前記所定期間内にあるかどうかを判断する。また、識別モジュール２４は、前記所定期間内に、選択された同じ場所からの端末データの識別子の数をカウントし、且つ前記識別子の数が所定の数に等しいかどうかを判断して、前記識別子の数が所定の数に等しい場合、対応する場所はホットスポットであると判定する。
【００２１】
具体的には、識別モジュール２４は、時間識別ユニット２４０と、位置識別ユニット２４１と、カウントユニット２４２と、判断ユニット２４３と、を備える。時間識別ユニット２４０は、端末データの時間情報が所定の統計時間に合致するかどうかを判断する。位置識別情報２４１は、端末データの位置情報の電子地図における場所を識別し、さらに前記端末データの出所を識別する。カウントユニット２４２は、所定の統計時間に合致する時間情報をそれぞれ統計し、且つ電子地図における同じ場所を表す位置情報に対応する移動通信端末１０の数を統計する。判断ユニット２４３は、統計した数が所定の数に達するかどうかを判断し、且つ統計した数が所定の数に達した場合、電子地図の対応する場所がホットスポットであると判定する。
【００２２】
以下、前記第一統計時間又は第二統計時間の所定の統計時間がそれぞれ選択される際の、識別モジュール２４の各機能ユニットの動作を詳細に説明する。
【００２３】
第一統計時間が選択された場合、時間識別ユニット２４０は、現在の時間との差異が所定の第一統計時間内にある端末データを検索する。位置識別ユニット２４１は、電子地図において、見付けた端末データの位置情報に対応する場所を識別することで、見付けた端末データの出所を識別する。カウントユニット２４２は、同じ場所からの位置情報に対応する移動通信端末１０の数を統計する。判断ユニット２４３は、統計した数が所定の数に達するかどうかを判断し、統計した数が所定の数に達した場合、対応する場所がホットスポットであると判定する。前記第一統計時間がより短い場合（例えば、１時間以内）、統計されたホットスポットは短期話題のホットスポットであり、ユーザはリアルタイムでここで短期イベント等が催されていることを知ることができる。また、前記第一統計時間がより長い場合（例えば、一年以上）、統計されたホットスポットは長期話題のホットスポットである。従って、ユーザは、この長期話題のホットスポットに基づいて人波の分布を知ることができ、ここでのビジネスの展開に繋げることもできる。
【００２４】
第二統計時間が選択された場合、位置識別ユニット２４１は、電子地図において、現在受信した端末データと同じ場所を表す以前に受信した端末データを検索する。以前に受信した端末データが見付からない場合、カウントユニット２４２はカウントし始める。また、以前に受信した端末データを見付けた場合、時間識別ユニット２４０は、該見付けた端末データの時間情報と現在受信した端末データの時間情報との差異が所定の第二統計時間内にあるかどうかを識別する。見付けた端末データの時間情報と現在受信した端末データの時間情報との差異が所定の第二統計時間内にある場合、カウントユニット２４２は前のカウント上で引き続きカウントする。また、見付けた端末データの時間情報と現在受信した端末データの時間情報との差異が所定の第二統計時間に合致しない場合、カウントユニット２４２は改めてカウントする。統計の精確度を高めるため、前記所定の第二統計時間はより短く設定する。例えば、１０分以上３０分以内に設定する。つまり、第二統計時間が選択された場合、ユーザは短期話題のホットスポットを調べることができる。
【００２５】
注釈ユニット２５は、電子地図において、ホットスポットと判定された場所を注釈して、且つ注釈した内容をメモリー２２の中に保存する。本実形態において、注釈ユニット２５は同じ色で複数のホットスポットを注釈する。
【００２６】
獲得ユニット２６は、照会指令に応じて、メモリー２２の中からホットスポットに関するデータを移動通信端末１０に伝送するか、又はホットスポットをマークした電子地図を移動通信端末１０に送信する。
【００２７】
更新ユニット２７は、所定の更新時間に基づいて電子地図における注釈を更新する。例えば、第一統計時間を選択した場合、前記所定の更新時間は、所定の第一統計時間と同じである。また、第二統計時間を選択した場合、前記所定の更新時間は、注釈した後所定時間を経過した後の時間である。
【００２８】
より詳細には、電子地図における注釈を更新する場合、先ず、注釈を有する場所の注釈時間が所定の更新時間に達するかどうかを判断する。注釈を有する場所の注釈時間が所定の更新時間に達した場合、前記注釈を有する場所に対応する移動通信端末の識別子の数が所定の数に達するかどうかを判断する。前記注釈を有する場所に対応する移動通信端末の識別子の数が所定の数に達していない場合、その注釈を削除する。前記注釈を有する場所に対応する移動通信端末の識別子の数が所定の数に達した場合、注釈時間を現在の時間に更新する。
【００２９】
以下、図６を参照しながら、本発明のホットスポットの識別方法のフローチャートについて詳細に説明する。本発明のホットスポットの識別方法は、クラウドサーバにより実行され、且つ以下のステップＳ６０１〜Ｓ６０４を有する。
【００３０】
ステップＳ６０１において、電子地図を提供する。
【００３１】
ステップＳ６０２において、所定の統計時間（即ち、上記の所定期間）及び所定の数を設定する。前記所定期間は、移動通信端末からの照会指令に基づいて設定される。また、前記所定期間は、ユーザが対応する移動通信端末に入力した時間帯によって設定され、前記時間帯は前記照会指令に含まれる。また、前記所定期間は、前記照会指令が受信される前の時間帯である。
【００３２】
ステップＳ６０３において、移動通信端末の識別子と、移動通信端末の位置情報と、端末データが受信された時間を示す時間情報と、を含む端末データを受信して格納する。
【００３３】
ステップＳ６０４において、移動通信端末からの時間情報及び位置情報に基づいて、前記所定期間内に同じ場所から受信した端末データの数に基づいて、前記電子地図においてホットスポットの位置を識別する。
【００３４】
図７に示すように、前記端末データは、複数の移動通信端末によって生成される。具体的には、各移動通信端末は、端末データを生成する時に以下のステップＳ７０１〜Ｓ７０６を有する。
【００３５】
ステップＳ７０１において、移動通信端末の専用の識別子を提供する。
【００３６】
ステップＳ７０２において、移動通信端末がクラウドサーバに接続されたかどうかを判断する。
【００３７】
ステップＳ７０３において、移動通信端末がクラウドサーバに接続された場合、画像を撮影したかどうかを判断する。
【００３８】
ステップＳ７０４において、画像を撮影した場合、移動通信端末の現在の位置情報及び時間情報を獲得する。前記画像は、静止画像又は動画像であることができる。
【００３９】
ステップＳ７０５において、移動通信端末の識別子と、画像を撮影した場所を示す位置情報と、画像を撮影した時間を示す時間情報と、を含む端末データを生成する。
【００４０】
ステップＳ７０６において、前記端末データをクラウドサーバに伝送する。
【００４１】
図８は、上記のステップＳ６０４を実現するための第一実施例を示している。ステップＳ６０４を実現する過程は、以下のステップＳ８０１〜８０４をさらに含む。
【００４２】
ステップＳ８０１において、前記所定期間内にある時間情報を含む端末データを選択する。
【００４３】
ステップＳ８０２において、同じ場所からの選択された端末データによって、移動通信端末の識別子の数をカウントする。
【００４４】
ステップＳ８０３において、前記識別子の数が所定の数に等しいかどうかを判断する。前記識別子の数が前記所定の数に等しい場合、以下のステップＳ８０４に移る。また、前記識別子の数が前記所定の数に達しない場合、流れはここで終了する。
【００４５】
ステップＳ８０４において、対応する場所をホットスポットと判定し、且つ電子地図において前記ホットスポットを注釈する。
【００４６】
図９は、上記のステップＳ６０４を実現するための第二実施例を示している。ステップＳ６０４を実現する過程は、以下のステップＳ９０１〜Ｓ９０５を含む。
【００４７】
ステップＳ９０１において、現在受信した端末データの位置情報に基づいて、現在受信した端末データと同じ場所を表す以前に受信した端末データを検索して選択する。即ち、受信した同じ場所からの端末データを選択する。
【００４８】
ステップＳ９０２において、選択された端末データの情報が前記所定期間内にあるかどうかを判断する。端末データの情報が前記所定期間内にある場合、以下のステップＳ９０３に移る。端末データの情報が前記所定期間内にない場合、流れはここで終了する。
【００４９】
ステップＳ９０３において、情報が前記所定期間内にある移動通信端末の識別子の数をカウントする。
【００５０】
ステップＳ９０４において、前記識別子の数が所定の数に等しいかどうかを判断する。前記識別子の数が前記所定の数に等しい場合、以下のステップＳ９０５に移る。前記識別子の数が前記所定の数に等しくない場合、流れはここで終了する。
【００５１】
ステップＳ９０５において、対応する場所をホットスポットと判定し、且つ電子地図において前記ホットスポットを注釈する。
【００５２】
上記の記載から分かるように、本発明の移動通信端末１０、クラウドサーバ２０及びホットスポットの識別方法は、位置情報及び時間情報に基づいて、同じ場所を表す移動通信端末の識別子の数を統計する。即ち、移動通信端末を介して画像を撮影した人々の人数を統計できる。これによって、前記人数に基づいて対応する場所をホットスポットと確定し、当該ホットスポットに行ったことがない人でも当該ホットスポットを知ることができる。また、ユーザは、必要に応じて、統計時間を設定して、短期話題のホットスポットを知ることができ、さらに該短期ホットスポットで現在行われている短期イベント等を知ることができる。また、ユーザは長期話題のホットスポットを識別して、人波の分布等を知ることもできるので、ビジネスの展開へ繋げることもできる。
【００５３】
以上、本発明の好適な実施形態について詳細に説明したが、本発明は前記実施形態に限定されるものではなく、本発明の範囲内で種々の変形、又は修正が可能であり、該変形、又は修正も本発明の特許請求の範囲内に含まれるものであることは言うまでもない。
【符号の説明】
【００５４】
１０        移動通信端末
１１        第一無線通信ユニット
１２        検出ユニット
１３        撮影ユニット
１４        ＧＰＳユニット
１５        情報生成ユニット
１６        入力ユニット
１７        表示ユニット
２０        クラウドサーバ
２１        第二無線通信ユニット
２２        メモリー
２３        設定ユニット
２４        識別モジュール
２５        注釈ユニット
２６        獲得ユニット
２７        更新ユニット
１００      通信システム
２３０      メインインタフェイス
２３１      サブインタフェイス
２４０      時間識別ユニット
２４１      位置識別ユニット
２４２      カウントユニット
２４３      判断ユニット
２３０１，２３０２    アイコン
２３１０    ダイアログ
【図１】
2014041611.tif 000003
【図２】
2014041611.tif 000004
【図３】
2014041611.tif 000005
【図４】
2014041611.tif 000006
【図５】
2014041611.tif 000007
【図６】
2014041611.tif 000008
【図７】
2014041611.tif 000009
【図８】
2014041611.tif 000010
【図９】
2014041611.tif 000011